(57)【要約】【課題】  異物を含んだ液体を搬送する液体ポンプにおいて、異物通過性の向上とポンプ効率の向上とを両立させる。【解決手段】  ポンプは、羽根車１１と、羽根車１１の周囲を囲むポンプケーシング１２とを備えている。羽根車１１の外周側とポンプケーシング１２の側壁１２ａとの間には、渦巻き状の流路５０が形成されている。ボリュートの巻き終わり部５２から所定の範囲において、流路５０の断面積は上流側から下流側に向かって小さくなっている。羽根車１１の羽根出口径をＤ２、ポンプケーシング１２のボリュート基礎円の直径をＤ３とすると、隙間係数ρ＝（Ｄ３−Ｄ２）／Ｄ２×１００は１５〜３７に設定されている。【選択図】  図１４
2006132432.tif 000002
【特許請求の範囲】
【請求項１】
液体を外周側に吐出する羽根車と、
前記羽根車の周囲を囲む内周壁を有し、前記内周壁の内側にボリュート状の排出流路が形成されたポンプケーシングと、
を備えた液体ポンプであって、
前記排出流路は、ボリュートの巻き終わり部から所定の範囲において、流路断面積が上流側から下流側に向かって一定又は小さくなる部位を有するように形成され、
前記羽根車の羽根出口径をＤ２、前記ポンプケーシングのボリュート基礎円の直径をＤ３としたときに、隙間係数ρ＝（Ｄ３−Ｄ２）／Ｄ２×１００が１５〜３７に設定されている、液体ポンプ。
【請求項２】
前記隙間係数ρが１５〜２５に設定されている、請求項１に記載の液体ポンプ。
【請求項３】
前記羽根車は、回転軸方向の一端側に吸込口が形成され且つ他端側の側方に吐出口が形成され、内部に前記吸込口と前記吐出口とをつなぐ螺旋状流路が形成された略円筒状の羽根車からなり、
前記羽根車の外周面上には、前記吸込口と前記吐出口との間で周方向に延びると共に外方に突出するフランジ部が形成され、
前記フランジ部よりも前記吐出口側の外周面の一部は窪んでおり、前記吐出口と連通し且つ周方向に延びる半径流形の羽根部を形成している、請求項１又は２に記載の液体ポンプ。
【請求項４】
請求項１〜３のいずれか一つに記載の液体ポンプであって、
請求項１〜３のいずれか一つに記載の他の液体ポンプとポンプケーシングが共通化される一方、羽根車の形状又は寸法が異なっている液体ポンプ。
【発明の詳細な説明】
【技術分野】
【０００１】
本発明は、夾雑物等の異物を含んだ汚水等の搬送に好適な液体ポンプに関するものである。
【背景技術】
【０００２】
従来より、夾雑物等の異物を含んだ汚水等の搬送に好適な液体ポンプとして、種々のポンプが用いられている。液体ポンプは、主要構成要素として、羽根車とポンプケーシングとを備えている。異物を含んだ液体に適した羽根車として、例えばボルテックスタイプ、ノンクロッグタイプ、スクリュータイプ等の羽根車が知られている。また、内部に螺旋状の流路が形成された羽根車も知られている（例えば特許文献１参照）。
【０００３】
そして、上記のような羽根車を備えた液体ポンプの場合、通常、ボリュート状のポンプケーシングが用いられる。この種のポンプケーシングは渦巻き状に形成され、ケーシング内の排出流路の断面積が出口側に向かって徐々に大きくなっている。また、ボリュートの巻き始め部分の付近には、ケーシング内に突出する突出部が設けられている。この突出部は、羽根車から吐出された液体がケーシング内を再循環しないように、ボリュートの巻き終わり部分と巻き始め部分とを仕切っている。
【特許文献１】特公昭２８−５８４０号公報
【発明の開示】
【発明が解決しようとする課題】
【０００４】
ところが、ボリュート状のポンプケーシングを備えたポンプでは、異物が混入した液体を吐出する場合、とりわけ低流量域にあっては、異物が羽根車内やポンプケーシング内で詰まりやすく、流路が閉塞しやすいという問題があった。しかし、このように異物が詰まると、過電流や騒音や振動を招く要因となる。ここで、羽根車とポンプケーシングとの間の隙間を小さくすれば、異物を詰まりにくくすることは可能である。しかしながら、上記隙間を小さくし過ぎると、振動や騒音が発生しやすくなる。
【０００５】
また、一般に、液体ポンプは、その用途等に応じて複数の容量のものがシリーズ化され、使い分けられる。しかしながら、ボリュート状のポンプケーシングは設計又は製作に多くの手間や費用を要するため、複数の仕様のポンプにおいて同一仕様のポンプケーシングを共用することが望ましい。ところが、部品点数削減の観点だけからポンプケーシングの共通化を試みると、異物の詰まりやポンプ効率の低下が問題となるため、異物通過性の向上とポンプ効率の向上との両立を図ることは極めて難しい。
【０００６】
本発明は、かかる点に鑑みてなされたものであり、その目的とするところは、異物通過性の向上とポンプ効率の向上とを両立させた液体ポンプを提供することにある。また、本発明の他の目的は、異物通過性及びポンプ効率を大幅に低下させることなく、仕様の異なる複数の液体ポンプに対してポンプケーシングの共通化を図り、部品点数を削減することである。
【課題を解決するための手段】
【０００７】
本発明に係る液体ポンプは、液体を外周側に吐出する羽根車と、前記羽根車の周囲を囲む内周壁を有し、前記内周壁の内側にボリュート状の排出流路が形成されたポンプケーシングと、を備えた液体ポンプであって、前記排出流路は、ボリュートの巻き終わり部から所定の範囲において、流路断面積が上流側から下流側に向かって一定又は小さくなる部位を有するように形成され、前記羽根車の羽根出口径をＤ２、前記ポンプケーシングのボリュート基礎円の直径をＤ３としたときに、隙間係数ρ＝（Ｄ３−Ｄ２）／Ｄ２×１００が１５〜３７に設定されているものである。なお、前記隙間係数ρは１５〜２５に設定されていることが好ましい。
【０００８】
上記液体ポンプによれば、ポンプケーシング内における液体の再循環を抑制し、異物の詰まりを抑制することができる。また、吐出圧を高めることができ、ポンプ効率の低下が抑制される。
【０００９】
前記羽根車は、回転軸方向の一端側に吸込口が形成され且つ他端側の側方に吐出口が形成され、内部に前記吸込口と前記吐出口とをつなぐ螺旋状流路が形成された略円筒状の羽根車からなり、前記羽根車の外周面上には、前記吸込口と前記吐出口との間で周方向に延びると共に外方に突出するフランジ部が形成され、前記フランジ部よりも前記吐出口側の外周面の一部は窪んでおり、前記吐出口と連通し且つ周方向に延びる半径流形の羽根部を形成していることが好ましい。
【００１０】
上記羽根車は、吸込口側と吐出口側とがフランジ部によって仕切られており、いわゆるクローズ型の羽根車であるので、夾雑物等の絡みつきや羽根車内での閉塞は起こりにくい。また、吸込口から吐出口に至る流路は螺旋状に形成されているので、異物等は螺旋状流路に沿って円滑に流れ、羽根車内で閉塞しにくくなる。しかも、羽根車の外周面上に形成された半径流形の羽根部によって液体を吐出するので、吐出圧力が高くなり、ポンプ効率を向上させることができる。このように、閉塞しにくく且つポンプ効率の向上に寄与するような羽根車を前記ポンプケーシングと組み合わせることによって、異物通過性及びポンプ効率の向上を共に図ることができる。
【００１１】
前記液体ポンプは、他の液体ポンプとポンプケーシングが共通化される一方、羽根車の形状又は寸法が異なっていてもよい。
【００１２】
このことにより、種類の異なるポンプ同士において、ポンプケーシングの共通化を図ることができる。
【発明の効果】
【００１３】
以上のように、本発明によれば、異物通過性の向上とポンプ効率の向上とを両立させることができる。また、異物通過性及びポンプ効率の向上を図りながら、仕様の異なる複数の液体ポンプに対してポンプケーシングを共通化することができる。
【発明を実施するための最良の形態】
【００１４】
以下、本発明の実施形態を図面に基づいて詳細に説明する。
【００１５】
図１に示すように、実施形態に係る液体ポンプは、汚水処理用のターボ式水中ポンプ１０である。このポンプ１０は、羽根車１１と、羽根車１１を覆うポンプケーシング１２と、羽根車１１を回転させる密閉型の水中モータ１３とを備えている。
【００１６】
水中モータ１３は、ステータ１４及びロータ１５からなるモータ１６と、モータ１６を覆うモータケーシング１７とを備えている。ロータ１５の中心部分には、上下方向に延びる駆動軸１８が設けられている。この駆動軸１８は、軸受１９，２０によって回転自在に支持されている。駆動軸１８の下端部は羽根車１１に連結されており、水中モータ１３の回転駆動力が羽根車１１に伝達されるようになっている。
【００１７】
ポンプケーシング１２は、羽根車１１を覆うとともに、羽根車１１から吐出される汚水をポンプ外へ排出する流路５０を形成している。ポンプケーシング１２の内部には、断面視で半円状に湾曲した側壁１２ａにより外周側を囲まれたポンプ室２６が形成されている。このポンプ室２６内には、羽根車１１の吐出部２８（図２参照）が収容されている。そして、図１、図１２及び図１３に示すように、羽根車１１がポンプケーシング１２内に配置された状態で、ポンプ室２６の一部が前記流路５０を構成している。
【００１８】
また、図１に示すように、ポンプケーシング１２の下部には、下方に突出した吸込部２１が形成されている。この吸込部２１には、下方に向かって開口した吸込口２２が形成されている。吸込口２２は、羽根車１１の吸込口２９に連通している。一方、ポンプケーシング１２の側部には、側方に突出した吐出部２３が形成されている。この吐出部２３には、側方に向かって開口した吐出口２４が形成されている。この吐出口２４は流路５０の出口になっており、羽根車１１から吐出された汚水は吐出口２４からポンプ外へ排出されることになる。
【００１９】
図２に示すように、羽根車１１には、軸方向の下側から上側に向かって順に、吸込部２７と吐出部２８とが設けられている。これらの吸込部２７及び吐出部２８は、いずれも略円筒形状に形成されており、吐出部２８は吸込部２７よりも大径に構成されている。そして、吐出部２８と吸込部２７との間には、全周にわたってフランジ部４０が形成されている。図１に示すように、フランジ部４０は、羽根車１１の吐出部２８と吸込部２７とを上下に仕切っている。すなわち、この羽根車１１は、吸込部２７と吐出部２８とがフランジ部４０で仕切られたクローズタイプの羽根車である。
【００２０】
図３に示すように、吸込部２７の下端には、下方に向かって開口した吸込口２９が設けられている。図２に示すように、吐出部２８の上側には、上端壁３０が形成されている。上端壁３０の中心部には、駆動軸１８の先端を挿入するための挿入穴３２が形成されており、この挿入穴３２の周囲には駆動軸１８を取り付けるための取付部３１が形成されている。
【００２１】
図２に示すように、上端壁３０の上面の一部（ここでは、上端壁３０の半分であり、羽根車１１の重量が大きい側）には、下方に窪んだ窪み３３が形成されている。この窪み３３により、羽根車１１の全体の重量バランスが均一化され、回転の安定性が向上している。ただし、上端壁３０の窪み３３の大きさや形状は、何ら限定されるものではない。また、窪み３３は必ずしも必要ではなく、上端壁３０の形状は特に限定されるものではない。例えば、上端壁３０の上面は面一であってもよい。
【００２２】
一方、図６、図９及び図１１に示すように、羽根車１１の吐出部２８には、側方に向かって開口する吐出口３４が形成されている。図８〜図１１に示すように、羽根車１１の内部には、吸込部２７の吸込口２９から吐出口３４に至る螺旋状の１次流路３５（螺旋状流路）が区画形成されている。すなわち、図１１に示すように、吐出口３４は、螺旋状の１次流路３５の延長方向に向かって開口している。なお、本明細書では、この１次流路３５を区画している区画壁を１次羽根３６と称する。
【００２３】
図３及び図５〜図１１に示すように、吐出部２８の外周面上の一部には、当該外周面に沿って延びるように内側に窪んだ２次流路３７が形成されている。図１１に示すように、この２次流路３７は、吐出口３４において、羽根車１１内に形成された１次流路３５の下流側と連続している。そして、２次流路３７は、羽根車１１の半周以上の長さにわたって吐出部２８を周回している。２次流路３７の下流端は、吐出口３４の近傍にまで延びている。なお、２次流路３７の長さは、半周以上且つ１周未満が好ましいが、特に限定されるものではない。
【００２４】
すなわち、２次流路３７は、非螺旋状の流路であり、その流路中心は羽根車１１の軸線と直交する直交面上に位置している。この２次流路３７を区画している区画壁を２次羽根３８と称すると、２次羽根３８はいわゆる半径流形の羽根であり、この２次羽根３８によって汚水は外周側（径方向外側）に吐出される。
【００２５】
さらに、図１１に示すように、２次羽根３８の羽根出口角θ２は、１次羽根３６の羽根出口角θ１よりも小さく設定されている。ここで、羽根出口角は、羽根の出口側の先端と円周接線とのなす角で定義される。そして、この羽根車１１では、１次羽根３６の出口側の先端（下流端）３６Ａが２次羽根３８の上流端と連続しており、１次羽根３６の出口端と２次羽根３８の入口端との境界部分が曲線で連続的につながっている。すなわち、１次羽根３６と２次羽根３８とが滑らかに連続するように形成されている。
【００２６】
なお、通常、羽根の設計の際には、羽根の曲線を表す所定の関数を用いることが多い。本実施形態では、１次羽根３６と２次羽根３８とは、異なる関数によって設計されている。
【００２７】
図１２に示すように、ポンプケーシング１２は、羽根車１１の周囲を囲むように形成されており、ポンプケーシング１２の側壁１２ａと羽根車１１との隙間は、ボリュートの巻き始め部５１側よりも巻き終わり部５２側の方が大きくなるように形成されている。そして、側壁１２ａと羽根車１１の外周との間に形成された環状の空間が、羽根車１１の外周側に吐出された汚水をポンプケーシング１２の吐出口２４を通じてポンプ外へ吐出するための流路５０を構成している。すなわち、流路５０は、羽根車１１を中心としてボリュートと呼ばれる渦巻き状に形成されている。
【００２８】
また、ポンプケーシング１２のボリュートの巻き終わり部５２（ポンプケーシング１２の吐出口２４側）付近には、舌部と呼ばれる突出部１２ｂが形成されている。この突出部１２ｂは、ボリュートの巻き終わり部５２側と巻き始め部５１側とを区別するように設けられている。これにより、羽根車１１の周囲を再循環する汚水の量、すなわち、羽根車１１から吐出された汚水がボリュートの巻き終わり部５２側から巻き始め部５１側に流れる量が低減される。なお、突出部１２ｂには丸み（アール）が形成されていることが好ましい。
【００２９】
ここで、ボリュートの巻き終わりとは、ポンプケーシング１２内の流路５０の方向が円周方向から径方向に変化する位置であり、巻き始めとは、突出部１２ｂを挟んで巻き終わり位置とは反対側の位置である。すなわち、通常、ボリュートの巻き始め位置は、ポンプケーシング１２と羽根車１１の外周との隙間、言い換えると流路５０の幅が最小になっている部分である。
【００３０】
ポンプケーシング１２では、ボリュートの巻き終わり部５２から所定範囲において、流路５０の幅は上流側から下流側に向かって徐々に小さくなっている。つまり、流路５０の断面積は、上述の範囲において、上流側から下流側に向かって徐々に小さくなっている。
【００３１】
このような構成により、ボリュートの巻き始め部５１側から巻き終わり部５２側に向かって流路５０が徐々に大きくなっていく従来の構造（図中に示す二点鎖線部分）に比べて、ボリュートの巻き終わり部５２付近での汚水の流れを速くすることができ、流路５０内を流れる汚水をよりスムーズに吐出口２４側へ流すことができる。また、ボリュートの巻き終わり部５２付近における汚水の圧力上昇を抑えて、巻き始め部５１との圧力差を小さくすることができる。
【００３２】
このポンプ１０では、汚水は、以下のようにして吐出される。すなわち、水中ポンプ１３によって羽根車１１が回転し、この回転によって、羽根車１１の１次羽根３６が下側の吸込口２９から汚水を上方へ向かって吸い込む。そして、吸い込まれた汚水は、羽根車１１内の螺旋状の１次流路３５を通過し、吐出口３４及び２次羽根３８によって外周側に吐出される。その際、羽根車１１は所定回転数で回転しているため、羽根車１１の全周から汚水が吐出されることになる。吐出された汚水は、羽根車１１を覆うポンプケーシング１２によって受け止められ、流路５０を流通した後、吐出口２４からポンプ外へ排出される。
【００３３】
本実施形態に係るポンプ１０では、図１４に示すように、羽根車１１の羽根出口径をＤ２、ポンプケーシング１２のボリュート基礎円の直径をＤ３としたときに、隙間係数ρ＝（Ｄ３−Ｄ２）／Ｄ２×１００の値は１５〜３７に設定されている。
【００３４】
図１５は、寸法の異なる複数のポンプ１０に関して、隙間係数ρと異物の通過率Ｋとの関係を示したグラフである。図示の直線は、実験で得られた計測点の近似直線である。
【００３５】
上記実験では、水を貯留した水槽内に前記ポンプ１０を設置するとともに、当該水槽内に異物を投入し、当該異物がポンプ１０から吐出されるか否か（異物がポンプ１０を通過するか否か）を測定することとした。なお、ポンプ１０は最高効率点で運転することとした。異物には、面積が２８０ｍｍ×４２０ｍｍの小型タオル、面積が３４０ｍｍ×８３０ｍｍの大型タオル、市販のＬサイズのパンティストッキング、市販のレギュラーサイズの生理用品等を用いた。上記実験では、寸法の異なる複数のポンプ１０について、各異物を数回にわたって投入することとした。
【００３６】
通過率Ｋは以下の式で定義した。
【数１】
2006132432.tif 000003
【００３７】
ここで、Ｎは異物の投入回数、βＮは異物の通りやすさを指標する係数である。係数βＮは、異物がポンプ１０を通過した場合（再起動を伴うことなく通過した場合）は「１」とし、異物がいったんは詰まったもののポンプ１０を１回だけ再起動することによって通過した場合は「２／３」とし、ポンプ１０を２回再起動することによって通過した場合は「１／３」とし、再起動を２回行っても通過しなかった場合は「０」とした。
【００３８】
隙間係数ρが小さすぎると、振動や騒音が発生しやすくなる。一方、図１５に示すように、隙間係数ρが３７以内であれば、通過率Ｋを実用上好ましいとされる０．６５以上の値に保つことができる。そこで、本実施形態では、ポンプ１０の隙間係数ρを１５以上且つ３７以下の値に設定することとした。なお、隙間係数ρの値を２５以内に設定すると、通過率Ｋを実用上特に好ましいとされる０．８５以上の値に保つことが可能となる。
【００３９】
ところで、ポンプ１０の設計及び製作にあたっては、金型の製作費の低廉化等のため、仕様の異なる複数のポンプ間において部品の共通化が望まれる。特に、ボリュート状のポンプケーシング１２は設計に多くの手間と費用を要するため、ポンプケーシング１２を共通化することにより、一連のポンプセット（仕様の異なる複数のポンプ）を安価に製作することが可能となる。
【００４０】
一方、ポンプケーシング１２を共通化した場合、複数のポンプ１０同士で羽根車１１の寸法が異なると、それらポンプ１０の隙間係数ρも異なってくる。しかしながら、上述したように、隙間係数ρを所定範囲に保つことにより、異物の通過性を一定レベルに維持することができる。そこで、本実施形態では、いずれのポンプ１０においても隙間係数ρが１５〜３７、より好ましくは１５〜２５となるように留意しながら、ポンプケーシング１２を共通化することとした。
【００４１】
具体的には、形状及び寸法等が同一のポンプケーシング１２を利用するとともに、形状又は寸法等が異なる複数の羽根車１１を利用することによって、複数のポンプをシリーズ化することとした。本ポンプセットは、少なくとも第１及び第２のポンプを含んでおり、第１ポンプのポンプケーシング１２と第２ポンプのポンプケーシング１２とは形状及び寸法等が同一であり、第１ポンプの羽根車１１と第２ポンプの羽根車１１とは形状又は寸法等が異なっており、第１ポンプ及び第２ポンプのいずれにおいても隙間係数ρが１５〜３７に設定されているものである。
【００４２】
例えば、ボリュート基礎円の直径Ｄ３が２２４ｍｍのポンプケーシング１２を用いて、１．５ｋＷ−５０Ｈｚ用のポンプとして羽根車１１の羽根出口径Ｄ２が１９０ｍｍの第１ポンプを、１．５ｋＷ−６０Ｈｚ用のポンプとして羽根車１１の羽根出口径Ｄ２が１６８ｍｍの第２ポンプを、それぞれ設計又は製作するようにしてもよい。この場合、第１ポンプの隙間係数ρは約１８、第２ポンプの隙間係数ρは約３３となり、いずれのポンプにおいても良好な異物通過性及びポンプ効率を得ることができる。
【００４３】
なお、ポンプセットの設計に際しては、羽根車１１の最も小さいポンプについて隙間係数ρを３７以下とし、羽根車１１の最も大きいポンプについて隙間係数ρを１５以上とすればよい。
【００４４】
本実施形態によれば、羽根車１１の吸込口２９から吸い込んだ汚水を１次羽根３６及び２次羽根３８の両方で搬送することにより、吐出圧力を高めることができ、ポンプ効率を向上させることができる。また、吸込口２９から吐出口３４に至る１次流路３５は滑らかな螺旋状に形成されているので、流路内のよどみ域が少なく、汚水は１次流路３５内を円滑に流れる。そのため、汚水に含まれる夾雑物等の異物は、羽根車１１の内部で詰まりにくい。したがって、異物の通過性を良好に保つことができ、通過性の向上とポンプ効率の向上との両立を図ることができる。
【００４５】
また、本実施形態によれば、ポンプケーシング１２のボリュートの巻き終わり部５２から所定の範囲において、流路５０の幅が上流側から下流側に向かって徐々に小さくなっている。そのため、巻き終わり部５２側から巻き始め部５１側への汚水の再循環流量を低減することができ、ポンプ内を流れる異物が突出部１２ｂに詰まりにくくなる。特に、異物の詰まりやすい低流量域において、異物の通過性を大幅に向上することができる。
【００４６】
しかも、ボリュートの巻き終わり部５２から所定範囲の流路５０の断面積だけを上流側よりも小さくすることにより、ボリュートの巻き始め部５１から流路５０の断面積を一定にする場合に比べて、吐出圧を高めることができ、ポンプ効率の低下を抑制することができる。
【００４７】
なお、流路５０の断面積が小さくなり始める点を、ボリュートの巻き終わり部５２から巻き始め部５１側に向かって周方向に３０度〜１２０度の範囲（図１２に示す範囲α）内に設定した場合には、より効果的である。
【００４８】
このように、異物通過性及びポンプ効率の向上に寄与する羽根車１１と、同じく異物通過性及びポンプ効率の向上に寄与するポンプケーシング１２とを組み合わせることによって、異物通過性及びポンプ効率を高度に両立させることができる。さらに、隙間係数ρを前述の所定範囲に設定することによって、異物通過性及びポンプ効率の両方をバランス良く向上させることができる。
【００４９】
また、複数のポンプにおいてポンプケーシング１２を共通化することとしたので、ポンプセット全体の低コスト化を図ることができる。さらに、ポンプケーシング１２の共通化の設計に際して、いずれのポンプにおいても隙間係数ρの値が前記所定範囲に入るようにしたので、異物通過性及びポンプ効率の良好な複数のポンプからなるポンプセットを実現することができる。すなわち、ポンプセットの全体として、異物通過性の向上とポンプ効率の向上との両立を図ることができる。
【００５０】
なお、上記羽根車１１の形状は、上記実施形態のものに限定されるわけではない。１次流路３５又は２次流路３７の流路断面形状は、上記実施形態のものに限定されず、種々の変形が可能である。例えば、上記実施形態では、２次羽根３８の流路断面は略半円状に形成されていたが、当該流路断面は略半楕円状に形成されていてもよく、略コ字状に形成されていてもよい。
【００５１】
上記実施形態は、汚水を軸方向と直交する方向に吐出するいわゆる半径流形の羽根車であった。しかし、羽根車は半径流形の羽根車に限らず、例えば、汚水を斜め上方向に吐出するいわゆる斜流形（混流形ともいう）の羽根車であってもよい。
【００５２】
上記実施形態では、２次流路３７は略円周状に形成されていた。しかし、２次流路３７を螺旋状に形成することも可能である。２次流路３７は、１次流路３５と異なる関数で表現される螺旋状の流路であってもよく、２次羽根３８は１周以上の長さにわたって周回していてもよい。
【００５３】
また、ポンプケーシング１２の形状も、上記実施形態のものに限定される訳ではない。前記実施形態では、ボリュートの巻き終わり部５２から所定範囲において、ポンプケーシング１２内の流路５０の断面積が上流側から下流側に向かって徐々に小さくなっていた。しかし、図１３に示すように、ボリュートの巻き終わり部５２から所定角度まで、流路５０の断面積が略一定になるようにしてもよい。この場合、前記所定角度を、ボリュートの巻き終わり部５２から巻き始め部５１側に向かって周方向に３０度〜１２０度の範囲（図１３に示す範囲β）内で設定することが好ましい。
【００５４】
また、前記実施形態では、ポンプケーシング１２内の流路５０の断面積が、上流側から下流側に向かって徐々に小さくなっていたが、流路５０の断面積がいったん小さくなった後に、途中で一定になるようにしてもよい。
【００５５】
前記実施形態では、螺旋状の流路３５を区画形成する１次羽根３６と外周面上に形成された２次羽根３８とからなる羽根車１１を用いていたが、羽根車１１の形状は特に限定されず、他のタイプの羽根車を用いることも可能である。
【００５６】
さらに、前記実施形態では、羽根車１１は吸込口２９が鉛直下向きに開口するような姿勢で設置されていたが、羽根車１１の設置姿勢は何ら限定されない。例えば、吸込口２９が横方向を向くように、羽根車１１を横置き設置することも可能である。前述の説明における上下方向は説明の便宜上の方向であり、実際の設置方向を限定するものではない。
【産業上の利用可能性】
【００５７】
以上説明したように、本発明は、液体ポンプについて有用である。
【図面の簡単な説明】
【００５８】
【図１】汚水処理用ポンプの断面図である。
【図２】羽根車を上方から見た斜視図である。
【図３】羽根車を下方から見た斜視図である。
【図４】羽根車の平面図である。
【図５】図４のＤ１方向矢視図である。
【図６】図４のＤ２方向矢視図である。
【図７】図４のＤ３方向矢視図である。
【図８】図５のVIII−VIII線断面図である。
【図９】図６のIX−IX線断面図である。
【図１０】図７のX−X線断面図である。
【図１１】図５のXI−XI線断面図である。
【図１２】図１のXII−XII線断面図である。
【図１３】他の実施形態に係る図１２相当図である。
【図１４】隙間係数を説明するための羽根車及びポンプケーシングの模式図である。
【図１５】隙間係数と通過率との関係を表すグラフである。
【符号の説明】
【００５９】
１０    汚水処理用ポンプ（液体ポンプ）
１１    羽根車
１２    ポンプケーシング
１２ａ  側壁（内周壁）
１２ｂ  突出部
２９    吸込口
３４    吐出口
３５    １次流路（螺旋状流路）
３６    １次羽根
３７    ２次流路
３８    ２次羽根（羽根部）
４０    フランジ部
５０    流路（排出流路）
５１    巻き始め部
５２    巻き終わり部
【図１】
2006132432.tif 000004
【図２】
2006132432.tif 000005
【図３】
2006132432.tif 000006
【図４】
2006132432.tif 000007
【図５】
2006132432.tif 000008
【図６】
2006132432.tif 000009
【図７】
2006132432.tif 000010
【図８】
2006132432.tif 000011
【図９】
2006132432.tif 000012
【図１０】
2006132432.tif 000013
【図１１】
2006132432.tif 000014
【図１２】
2006132432.tif 000015
【図１３】
2006132432.tif 000016
【図１４】
2006132432.tif 000017
【図１５】
2006132432.tif 000018